(57)【要約】【課題】水晶発振器の出力信号に含まれるオーバーシュートやアンダーシュート等のノイズ成分を除去し，水晶発振器の出力信号電圧を，後段に接続される回路の入力電圧の規格に適合させる出力波形整形回路を低コストで提供することを課題とする。【解決手段】入力端子２０４と出力端子２０５を接続する第１の抵抗２０１と，出力端子２０５とアース間に接続されたコンデンサ２０３により，積分回路を形成してノイズ成分を除去するとともに，第１の抵抗２０１と，出力端子２０５とアース間に接続された第２の抵抗２０２により，水晶発振器１００の出力信号電圧を分圧して適当な電圧で後段へ出力する。【選択図】  図１
2005136522.tif 000002
【特許請求の範囲】
【請求項１】
入力端子と出力端子を接続する第１の抵抗と，出力端子とアース間に並列接続された第２の抵抗とコンデンサを備えたことを特徴とする水晶発振器の出力波形整形回路。
【発明の詳細な説明】
【技術分野】
【０００１】
本発明は，主に水晶発振器の出力波形整形回路に関し，詳しくはそのノイズ低減を図ったものに関する。
【背景技術】
【０００２】
従来の水晶発振器の出力波形整形回路は，波形整形部の出力に接続された出力部に演算増幅器やＣＭＯＳトランジスタなどを使った電源回路を必要としていた。（例えば，特許文献１参照）
【０００３】
【特許文献１】特開平２０００１−２２３５６２号公報
【発明の開示】
【発明が解決しようとする課題】
【０００４】
ところで，従来の水晶発振器の出力波形整形回路によると，波形整形部の出力に接続された出力部に演算増幅器やＣＭＯＳトランジスタなどを使った電源回路を必要としていたので，回路が複雑であり，部品点数が多くなり，コストアップを引き起こすといった問題が有った。
そこで本願においては，こうした問題点を解決するためになされたものであり，
その目的は，
入力端子と出力端子を接続する第１の抵抗と，出力端子とアース間に接続された第２の抵抗とコンデンサを備え，
第１の抵抗とコンデンサで構成される積分回路により，水晶発振器の出力信号に含まれるオーバーシュートやアンダーシュート等のノイズ成分を抑制する水晶発振器の出力波形整形回路を提供することを課題とするとともに，
水晶発振器の発振出力を第１の抵抗と第２の抵抗で分圧することにより，その出力電圧を，後段の回路の入力電圧の規格に適合させる水晶発振器の出力波形整形回路を提供することを課題とする。
【課題を解決するための手段】
【０００５】
上記課題を解決するために，請求項1の発明に係る出力波形整形回路は
入力端子と出力端子を接続する第１の抵抗と，出力端子とアース間に並列接続された第２の抵抗とコンデンサで構成される。
【発明の効果】
【０００６】
以上詳述したように，請求項１の発明によれば，
入力端子と出力端子を接続する第１の抵抗と，出力端子とアース間に並列接続された第２の抵抗とコンデンサを備え，
第１の抵抗とコンデンサで構成される積分回路により，水晶発振器の出力信号に含まれるオーバーシュートやアンダーシュート等のノイズ成分を除去できる。
【０００７】
また，水晶発振器の発振出力を第１の抵抗と第２の抵抗で分圧することにより，その出力電圧を，後段に接続される回路の入力電圧の規格に低コストで適合させることができる。
【発明を実施するための最良の形態】
【０００８】
以下に，本発明を具体化した実施形態の例を，図面を基に詳細に説明する。
図１は本発明に係る出力波形整形回路の一例を示し，図２は信号波形の説明図，図３は，本発明の回路をテレビ信号のビート除去装置に利用した例を示している。
【実施例１】
【０００９】
図１は本発明に係る出力波形整形回路２００の一例を示す。
本発明による出力波形整形回路２００は，入力端子２０４と出力端子２０５を接続する第１の抵抗２０１と，出力端子２０５とアース間に並列接続された第２の抵抗２０２とコンデンサを備え，第１の抵抗２０１とコンデンサ２０３で構成される積分回路により，水晶発振器１００の出力信号に含まれるオーバーシュート５００やアンダーシュート５０１のノイズ成分を除去している。
【００１０】
また，波形整形回路２００に入力された水晶発振器１００の出力信号は，第１の抵抗２０１と第２の抵抗２０２で分圧して出力されるので，例えば，水晶発振器１００の出力信号電圧が５Ｖｐ−ｐで，後段に接続されるクロックバッファ３００の入力電圧の規格が３.３Ｖｐ−ｐのように差がある場合，専用の電圧変換用半導体集積回路を設けなくても接続可能となる。
図２（ａ）に，図１に示す出力波形整形回路２００の入力端子２０４の信号波形を示し，図２（ｂ）にその出力端子２０５の信号波形を示す。
図３は出力波形整形回路２００を用いたテレビ信号処理装置の例を示す。 受信アンテナ４０１から伝送された高周波信号はチューナー４０２で選局され，５８ＭＨｚ帯のＩＦ信号に変換されて直交検波器４０３へ入力される。直交検波回路４０３はこのアナログ信号を復調し，すべての成分をＩ信号としてＡＤコンバータ４０４へ入力するとともに，妨害波成分のみをＱ信号としてＡＤコンバータ４０５へ入力する。  ＡＤコンバータ４０４，４０５は入力されたそれぞれの信号を１０ｂｉｔのディジタル信号に変換して例えばＡＳＩＣで構成された信号処理集積回路４０６へ入力する。信号処理集積回路４０６の内部では，Ｉ信号とＱ信号の差を利用してＩ信号に含まれているビート成分を除去している。信号処理集積回路４０６から出力されたディジタル信号はＤＡコンバータ４０７によりアナログ信号に変換され，ビート成分が除去されたアナログ信号が出力される。  なお，必要に応じて出力端子４０８に変調器を接続すれば，高周波のテレビ信号に変換することができる。  ＡＤコンバータ３０４，３０５，ＤＡコンバータ３０７等に供給される基準信号は，出力波形整形回路２００によりノイズが除去されているので，ノイズによる誤動作やパルスノイズの無い安定な受信が可能となる。尚，本発明は上記実施の形態に限定されるものではなく，本発明の趣旨を逸脱しない範囲で適宜に変更して実施することも可能である。本発明ではテレビ信号処理装置として，テレビ信号のビート除去装置の例を示したが，これに限定されること無く，テレビ信号のゴースト除去装置に使用しても同様の効果が得られる。また，周波数変換器，変調器，復調器等のテレビ信号処理装置に使用しても同様の効果が得られる。
【図面の簡単な説明】
【００１１】
【図１】本発明に係る本発明に係る出力波形整形回路２００の一例を示す。
【図２】（ａ）は，図１における出力波形整形回路２００の入力端子２０４の信号波形を示し，図２（ｂ）はその出力端子２０５の信号波形を示す。
【図３】本発明の出力波形整形回路２００をテレビ信号のビート除去装置に利用した例を示す。
【符号の説明】
【００１２】
１００…水晶発振器，２００…出力波形整形回路，２０１…第１の抵抗，２０１…第２の抵抗，２０３…コンデンサ，２０４…出力波形整形回路の入力端子，２０５…出力波形整形回路の出力端子，３００…クロックバッファ，４０１…受信アンテナ，４０２…チューナー回路，４０３…直交検波回路，４０４…ＡＤコンバータ，４０５…ＡＤコンバータ，４０６…信号処理集積回路，４０７…ＤＡコンバータ，４０８…映像出力端子，５００…オーバーシュート，５０１…アンダーシュート。
【図１】
2005136522.tif 000003
【図２】
2005136522.tif 000004
【図３】
2005136522.tif 000005